(57)【要約】【課題】従来の音声切替装置は、映像信号の水平同期信号及び垂直同期信号のような同期情報を含まないデジタルベースバンド音声信号を符号化した音声データについてはシームレスな切り替えが困難である。【解決手段】ＡＡＵ変換部２３は、音声同期信号抽出部２２で抽出された音声同期信号を基準としてＡＡＵを決定する。音声符号化部２４はＡＡＵ変換部２３にて切り分けたＡＡＵ毎にデジタルベースバンドの音声信号を符号化して音声パケットを生成する。メモリ制御部２５は、映像同期信号から映像垂直同期検出部２１で検出された垂直同期信号を基準に、上位制御装置から切替制御信号を受けた時点でメモリ部２６の読み出しを一時的に停止して、切替のための隙間を作り、また、切替制御解除指示を上位制御装置から受けると、メモリ部２６に残されている音声パケットを速い速度で読み出して出力させる。【選択図】図２
2007156203.tif 000002
【特許請求の範囲】
【請求項１】
複数台のエンコーダ装置でそれぞれデジタルベースバンド音声信号を圧縮符号化して得られた音声パケットのうち、一の音声パケットから別の一の音声パケットへ切り替える音声切替方法において、
局内同期信号から映像同期信号に同期した音声同期信号を生成する第１のステップと、
前記音声同期信号に基づいて、前記複数台のエンコーダ装置のそれぞれにおいて音声符号化の最小単位である音声アクセスユニットを生成する第２のステップと、
前記複数台のエンコーダ装置のそれぞれにおいて、前記音声アクセスユニット単位で、デジタルベースバンド音声信号を符号化して音声パケットを生成する第３のステップと、
前記複数台のエンコーダ装置のそれぞれから出力される複数の前記音声パケットの中から一の音声パケットを選択して出力し、切替制御実行指示を受けた時点で前記音声パケットの選択出力を停止する第４のステップと、
前記第４のステップにより前記音声パケットの選択出力を停止した後、切替制御実行解除指示を受けた時は、前記映像同期信号中の垂直同期信号を基準点として、前記基準点より時間的に後の時間的位置で、前記複数台のエンコーダ装置のそれぞれから出力される複数の前記音声パケットの中から、今まで出力していた一のエンコーダ装置からの音声パケットとは別の切替指示を受けた一のエンコーダ装置からの音声パケットを選択して出力する第５のステップと
を含むことを特徴とする音声切替方法。
【請求項２】
前記第５のステップは、前記切替制御実行解除指示を受けた時は、音声パケット停止前の出力速度より速い速度で、切替後の音声パケットの出力を開始することを特徴とする請求項１記載の音声切替方法。
【請求項３】
前記複数台のエンコーダ装置は、互いに同一のデジタルベースバンド音声信号を符号化した音声パケットを出力しており、前記第５のステップは、前記第４のステップで出力停止した音声パケットに続いて出力されるべき順番の音声パケットから出力を開始することを特徴とする請求項１又は２記載の音声切替方法。
【請求項４】
複数のエンコーダ装置により、映像同期信号から生成した共通の音声符号化の最小単位である音声アクセスユニット単位で、デジタルベースバンド音声信号をそれぞれ別々に圧縮符号化して得られた複数の音声パケットのうち、音声パケット切替部により選択した一のエンコーダ装置からの音声パケットを出力している状態において、切り替え制御実行指示に基づき、指示された別の一のエンコーダ装置からの音声パケットへ切り替える音声切替装置であって、
前記複数のエンコーダ装置のそれぞれは、
前記切替制御実行指示を受けた時点で前記音声パケットの選択出力を停止し、その後に切替制御実行解除指示を受けた時は、前記映像同期信号中の垂直同期信号を基準点として、前記基準点より時間的に後の時間的位置から、出力停止した音声パケットに続いて出力されるべき順番の音声パケットから音声パケット停止前の出力速度より速い速度で出力を開始し、
前記音声パケット切替部は、
前記切替制御実行解除指示を受けた時点で、今まで出力していた一のエンコーダ装置からの音声パケットとは別の前記切替制御実行指示で指示された一のエンコーダ装置からの音声パケットを選択して出力開始することを特徴とする音声切替装置。
【請求項５】
デジタルベースバンド音声信号をそれぞれ圧縮符号化して得られた複数の音声パケットのうち、一の音声パケットから別の一の音声パケットへ切り替える音声切替装置において、
局内同期信号から映像同期信号に同期した音声同期信号を生成する局内同期信号発生手段と、
前記音声同期信号に基づいて、音声符号化の最小単位である音声アクセスユニットを生成する複数の音声同期信号発生手段と、
前記音声アクセスユニット単位で、デジタルベースバンド音声信号を符号化して音声パケットをそれぞれ生成する複数の音声符号化手段と、
前記複数の音声符号化手段のそれぞれから出力される複数の前記音声パケットの中から一の音声パケットを選択して出力し、切替制御実行指示を受けた時点から前記音声パケットの選択出力を停止する出力停止手段と、
前記出力停止手段による前記音声パケットの選択出力停止後に、切替制御実行解除指示を受けた時は、前記映像同期信号中の垂直同期信号を基準点として、前記基準点より時間的に後の時間的位置から前記複数の音声符号化手段のそれぞれから出力される複数の前記音声パケットの中から、今まで出力していた音声パケットとは別の切替指示を受けた一の音声パケットを選択して出力する出力切替手段と
を有することを特徴とする音声切替装置。
【請求項６】
前記出力停止手段及び前記出力切替手段は、
前記複数の音声符号化手段のそれぞれから出力される複数の前記音声パケットをそれぞれ別々に書き込んだ後、読み出し出力する複数のメモリ手段と、
前記切替制御実行指示を受けた時点で、対応して設けられた前記メモリ手段による前記音声パケットの読み出し出力を停止させ、前記読み出し出力停止後に前記切替制御実行解除指示を受けた時は、前記映像同期信号中の垂直同期信号を基準点として、前記基準点より時間的に後の時間的位置から、出力停止した音声パケットに続いて出力されるべき順番の音声パケットから対応して設けられた前記メモリ手段による読み出し出力を開始する複数のメモリ制御手段と、
前記複数のメモリ手段から読み出し出力された複数の音声パケットの中から、予め定められた一の音声パケットを選択出力し、前記切替制御実行解除指示を受けた時点で、今まで出力していた音声パケットとは別の、切替指示を受けた一の音声パケットを選択して出力する切替手段と
からなることを特徴とする請求項５記載の音声切替装置。
【請求項７】
前記複数のメモリ制御手段は、前記切替制御実行解除指示を受けた時点で、出力停止した音声パケットに続いて出力されるべき順番の音声パケットから、対応して設けられた前記メモリ手段による読み出し出力を、音声パケット停止前の出力速度より速い速度で開始させることを特徴とする請求項６記載の音声切替装置。
【発明の詳細な説明】
【技術分野】
【０００１】
本発明は音声切替方法及び音声切替装置に係り、特に複数のエンコーダ装置でそれぞれ符号化された複数の音声符号化信号を切り替える音声切替方法及び音声切替装置に関する。
【背景技術】
【０００２】
地上波デジタル放送の運用は、殆どで２４時間放送の形態となっているのが現状であるため、通常は放送局では現用系放送機器と予備系放送機器とからなる冗長システムで構成されている。また、地上波デジタル放送は、映像信号及び音声信号をそれぞれＭＰＥＧ（Moving Picture experts Group）により圧縮符号化して得たＭＰＥＧ圧縮データを放送する。
【０００３】
このような２４時間運用の地上波デジタル放送の放送局の現用系放送機器のメンテナンスをする場合、メンテナンスの間は、現用系放送機器から予備系放送機器へ切り替えておく必要がある。しかし、現用系放送機器から予備系放送機器へ切り替えると、現用系放送機器から出力されるＭＰＥＧ圧縮データが、予備系放送機器から出力されるＭＰＥＧ圧縮データに切り替わるため、その切り替えのタイミングによっては、受信側で復号した映像信号及び音声信号にショックが発生する（すなわち、ノイズが発生したり、画像がフリーズしたり、音声が無音となってしまう）ことがある。
【０００４】
そこで、従来は上記のようなショックが発生しないように、シームレスな切り替えを行うために、切り替えを行う放送機器間で同期をとるための所定の同期信号を発生する装置が知られている（例えば、特許文献１参照）。
【０００５】
この特許文献１記載の同期信号発生装置は、放送局内で発生したブラックバースト信号に基づいて、水平同期信号及び垂直同期信号を抽出し、それらの同期信号に同期した２７ＭＨｚのクロック信号を生成し、そのクロック信号に基づいてＭＰＥＧ圧縮データの復号タイミングの基準となるシステムタイムクロック信号を生成し、更に動画像を構成するピクチャの時系列一貫信号であるテンポラルリファレンス信号を垂直同期信号に基づいて生成した後、それらシステムタイムクロック信号とテンポラルリファレンス信号に基づいて、それぞれに対応する各同期信号を生成して複数の放送機器へ送出するようにしたものである。
【０００６】
【特許文献１】特開２００５−１９８１０５号公報
【発明の開示】
【発明が解決しようとする課題】
【０００７】
しかるに、上記の特許文献１記載の同期信号発生装置で発生した同期信号を用いて、現用系放送機器から予備系放送機器へ切り替えた場合、特許文献１記載の同期信号発生装置は、動画像を構成するピクチャの時系列一貫信号であるテンポラルリファレンス信号を用いるものであり、映像信号の水平同期信号及び垂直同期信号のような同期情報を含まないデジタルベースバンド音声信号を符号化した音声データについてはシームレスな切り替えが困難である。
【０００８】
同期情報を含まないデジタルベースバンド音声信号は独立した放送機器間で、オーディオ復号単位である音声アクセスユニット（ＡＡＵ：Audio Access Unit）レベルで同期化して符号化することが困難であり、また、切り替えポイントやタイミングが不明確であるためである。
【０００９】
本発明は以上の点に鑑みなされたもので、複数のエンコーダ装置でそれぞれ符号化された複数の音声符号化信号（音声パケット）をシームレスに切り替え得る音声切替方法及び音声切替装置を提供することを目的とする。
【課題を解決するための手段】
【００１０】
本発明音声切替方法は上記の目的を達成するため、複数台のエンコーダ装置でそれぞれデジタルベースバンド音声信号を圧縮符号化して得られた音声パケットのうち、一の音声パケットから別の一の音声パケットへ切り替える音声切替方法において、局内同期信号から映像同期信号に同期した音声同期信号を生成する第１のステップと、音声同期信号に基づいて、複数台のエンコーダ装置のそれぞれにおいて音声符号化の最小単位である音声アクセスユニットを生成する第２のステップと、複数台のエンコーダ装置のそれぞれにおいて、音声アクセスユニット単位で、デジタルベースバンド音声信号を符号化して音声パケットを生成する第３のステップと、複数台のエンコーダ装置のそれぞれから出力される複数の音声パケットの中から一の音声パケットを選択して出力し、切替制御実行指示を受けた時点で音声パケットの選択出力を停止する第４のステップと、第４のステップにより音声パケットの選択出力を停止した後、切替制御実行解除指示を受けた時は、映像同期信号中の垂直同期信号を基準点として、基準点より時間的に後の時間的位置で、複数台のエンコーダ装置のそれぞれから出力される複数の音声パケットの中から、今まで出力していた一のエンコーダ装置からの音声パケットとは別の切替指示を受けた一のエンコーダ装置からの音声パケットを選択して出力する第５のステップとを含むことを特徴とする。
【００１１】
この発明では、切替制御実行指示を受けると、映像同期信号中の垂直同期信号を基準点として、基準点より時間的に前の時間的位置から音声パケットの選択出力を停止することで切替のための隙間を作り、また、切替制御解除指示を上位制御装置から受けると、引き続いて出力されるべき別の音声パケットを速い速度で読み出して出力させる。
【００１２】
また、上記の目的を達成するため、上記の第５のステップは、切替制御実行解除指示を受けた時は、音声パケット停止前の出力速度より速い速度で、切替後の音声パケットの出力を開始することを特徴とする。停止期間中に出力されるべき音声パケットを速い速度で読み出すことにより、切り替え後に出力されるべき音声パケットの出力速度とのタイミングと合わせるためである。
【００１３】
また、上記の目的を達成するため、本発明方法は、上記の複数台のエンコーダ装置は、互いに同一のデジタルベースバンド音声信号を符号化した音声パケットを出力しており、第５のステップは、第４のステップで出力停止した音声パケットに続いて出力されるべき順番の音声パケットから出力を開始することを特徴とする。停止期間中の音声パケットの欠落を防止するためである。
【００１４】
また、上記の目的を達成するため、本発明の音声切替装置は、複数のエンコーダ装置により、映像同期信号から生成した共通の音声符号化の最小単位である音声アクセスユニット単位で、デジタルベースバンド音声信号をそれぞれ別々に圧縮符号化して得られた複数の音声パケットのうち、音声パケット切替部により選択した一のエンコーダ装置からの音声パケットを出力している状態において、切り替え制御実行指示に基づき、指示された別の一のエンコーダ装置からの音声パケットへ切り替える音声切替装置であって、
複数のエンコーダ装置のそれぞれは、切替制御実行指示を受けた時点で音声パケットの選択出力を停止し、その後に切替制御実行解除指示を受けた時は、映像同期信号中の垂直同期信号を基準点として、基準点より時間的に後の時間的位置から、出力停止した音声パケットに続いて出力されるべき順番の音声パケットから音声パケット停止前の出力速度より速い速度で出力を開始し、音声パケット切替部は、切替制御実行解除指示を受けた時点で、今まで出力していた一のエンコーダ装置からの音声パケットとは別の切替制御実行指示で指示された一のエンコーダ装置からの音声パケットを選択して出力開始することを特徴とする。
【００１５】
この発明では、映像同期信号中の垂直同期信号を基準点として、基準点より時間的に前の時間的位置から音声パケットの選択出力を停止することにより、音声パケットの切り替え点を基準点に定めることができる。
【００１６】
また、上記の目的を達成するため、本発明の音声切替え装置は、デジタルベースバンド音声信号をそれぞれ圧縮符号化して得られた複数の音声パケットのうち、一の音声パケットから別の一の音声パケットへ切り替える音声切替装置において、
局内同期信号から映像同期信号に同期した音声同期信号を生成する局内同期信号発生手段と、音声同期信号に基づいて、音声符号化の最小単位である音声アクセスユニットを生成する複数の音声同期信号発生手段と、音声アクセスユニット単位で、デジタルベースバンド音声信号を符号化して音声パケットをそれぞれ生成する複数の音声符号化手段と、複数の音声符号化手段のそれぞれから出力される複数の音声パケットの中から一の音声パケットを選択して出力し、切替制御実行指示を受けた時点で、映像同期信号中の垂直同期信号を基準点として、基準点より時間的に前の時間的位置から音声パケットの選択出力を停止する出力停止手段と、出力停止手段による音声パケットの選択出力停止後に、切替制御実行解除指示を受けた時は、映像同期信号中の垂直同期信号を基準点として、基準点より時間的に後の時間的位置から複数の音声符号化手段のそれぞれから出力される複数の音声パケットの中から、今まで出力していた音声パケットとは別の切替指示を受けた一の音声パケットを選択して出力する出力切替手段とを有することを特徴とする。
【００１７】
この発明では、切替制御実行指示を受けると、映像同期信号中の垂直同期信号を基準点として、基準点より時間的に前の時間的位置から音声パケットの選択出力を停止することにより、音声パケットの切り替え点を基準点に定めることができる。
【００１８】
また、上記の目的を達成するため、本発明の音声切替装置は、上記の出力停止手段及び出力切替手段を、複数の音声符号化手段のそれぞれから出力される複数の音声パケットをそれぞれ別々に書き込んだ後、読み出し出力する複数のメモリ手段と、切替制御実行指示を受けた時点で、対応して設けられたメモリ手段による音声パケットの読み出し出力を停止させ、読み出し出力停止後に切替制御実行解除指示を受けた時は、映像同期信号中の垂直同期信号を基準点として、基準点より時間的に後の時間的位置から、出力停止した音声パケットに続いて出力されるべき順番の音声パケットから対応して設けられたメモリ手段による読み出し出力を開始する複数のメモリ制御手段と、複数のメモリ手段から読み出し出力された複数の音声パケットの中から、予め定められた一の音声パケットを選択出力し、切替制御実行解除指示を受けた時点で、今まで出力していた音声パケットとは別の、切替指示を受けた一の音声パケットを選択して出力する切替手段とからなる構成としたことを特徴とする。
【００１９】
この発明では、音声パケットが書き込まれるメモリ手段の読み出し動作を、切替制御実行実行時は一時停止し、切替制御実行開示指示により読み出し一時停止前より速い速度で読み出す。
【００２０】
また、上記の目的を達成するため、本発明は、複数のメモリ制御手段を、切替制御実行解除指示を受けた時点で、出力停止した音声パケットに続いて出力されるべき順番の音声パケットから、対応して設けられたメモリ手段による読み出し出力を、音声パケット停止前の出力速度より速い速度で開始させることを特徴とする。
【発明の効果】
【００２１】
本発明によれば、切替制御実行指示を受けた時点で一のエンコーダ装置からの音声パケットの選択出力を停止し、その後に切替制御実行解除指示を受けた時は、切替制御実行指示で指示された他のエンコーダ装置からの音声パケットを出力するように切り替えると共に、映像同期信号中の垂直同期信号を基準点として、基準点より時間的に後の時間的位置から、出力停止した音声パケットに続いて出力されるべき順番の音声パケットから、停止前の出力速度より速い速度で出力を開始するようにしたため、基準点より時間的に前の時間的位置から音声パケットの選択出力を停止することで切替のための隙間を作ることができ、音声パケットの切替点では出力停止により、切替によるノイズ等のショックやミュートは発生せず、音声パケットをシームレスに切り替えることができる。
【発明を実施するための最良の形態】
【００２２】
次に、本発明の実施の形態について図面と共に説明する。図１は本発明になる音声切替装置の一実施の形態のブロック図、図２は図１中のエンコーダ装置の一実施の形態のブロック図を示す。本実施の形態は、例えば放送局内での運用システムのメンテナンス時に使用される音声切替装置であって、放送局内で共通に分配されている映像同期信号を使用した時刻情報信号内に音声同期信号を挿入して分配する。
【００２３】
すなわち、図１において、音声切替装置は、放送局内で同期をとるために分配する、映像同期信号を使用した局内同期（ＢＢ：black Burst）信号を発生する局内同期信号発生器１１と、音声同期信号を発生する音声同期信号発生器１２と、複数台（ここでは、一例として４台）のエンコーダ装置１３１〜１３４からなり、それぞれデジタルベースバンドの音声信号を例えばＭＰＥＧ２（Moving Picture Experts Group phase 2:ISO/IEC13818-1）方式により圧縮符号化して音声パケットを出力する符号化装置１３と、符号化装置１３から出力される複数の音声パケットの中から、切替制御信号に基づいて一の音声パケットを切替出力するパケット切替装置１４とから構成されている。
【００２４】
エンコーダ装置１３１〜１３４はそれぞれ同一構成であり、例えば図２に１３０で示すように、映像垂直同期検出部２１と、音声同期信号抽出部２２と、ＡＡＵ（Audio Access Unit）変換部２３と、音声信号をＭＰＥＧ方式により符号化して音声パケットを生成する音声符号化部２４と、音声パケットを記憶して読み出すメモリ部２６と、メモリ部２６の書き込み動作と読み出し動作を制御するメモリ制御部２５とから構成されている。
【００２５】
音声同期信号抽出部２２は、音声同期信号を抽出する。ＡＡＵ変換部２３は、音声同期信号抽出部２２で抽出された音声同期信号を基準として、ＭＰＥＧ方式で規定された１フレームを表すＡＡＵを決定する。音声符号化部２４はＡＡＵ変換部２３にて切り分けたＡＡＵ毎にデジタルベースバンドの音声信号を符号化して音声パケットを生成し、メモリ部２６に供給して記憶する。メモリ部２６は、メモリ制御部２５にて書き込み／読み出し動作が制御される。
【００２６】
メモリ制御部２５は、映像同期信号から映像垂直同期検出部２１で検出された垂直同期信号を基準に、図示しない上位制御装置から切替制御信号を受けた時点でメモリ部２６の読み出しを一時的に停止して、切替のための隙間を作り、また、切替制御解除指示を上位制御装置から受けると、メモリ部２６に残されている音声パケットを速い速度で読み出して出力させる。
【００２７】
次に、図１及び図２の実施の形態の動作について、図３及び図４のタイミングチャートを併せ参照して更に詳細に説明する。図１において、局内同期信号発生器１１で発生された、図３（Ａ）に示す映像垂直同期信号に同期した局内同期信号は、音声同期信号発生器１２に供給される。
【００２８】
音声同信号発生器１２は、入力された局内同期信号を、図３（Ｂ）に示す音声１０２４サンプル期間の周期を持つ音声フレーム同期信号と比較し、両信号が一致した時点で図３（Ｃ）に示すフラグを発生して、符号化装置１３内のエンコーダ装置１３１〜１３４へ出力する。これにより、エンコーダ装置１３１〜１３４における各々の音声フレーム位相は、上記のフラグに同期引き込みされて図３（Ｄ）に示すようになる。
【００２９】
次に、上記の音声外部同期フレーム引き込み動作後の符号化装置の切替動作について、図４のタイミングチャートと共に説明する。なお、図４では説明の簡略化のため、２台のエンコーダ装置からの音声パケットを切り替える場合について示している。図４（Ａ）は音声外部同期フレーム引き込み後の音声１０２４サンプル周期の音声フレームを模式的に示す。
【００３０】
また、図４（Ｂ）、（Ｃ）は第１のエンコーダ装置（ＥＮＣ＃１）の音声符号化部（図２の２４に相当）から出力される音声パケットと、メモリ部（図２の２６に相当）から出力される音声パケットとを模式的に示し、同図（Ｅ）、（Ｆ）は第２のエンコーダ装置（ＥＮＣ＃２）の音声符号化部（図２の２４に相当）から出力される音声パケットと、メモリ部（図２の２６に相当）から出力される音声パケットとを模式的に示す。すなわち、第１、第２のエンコーダ装置からは、音声フレームに同期して、同じ音声信号をＭＰＥＧ方式で圧縮符号化して得られた、ＡＡＵ単位の音声パケットが並列に出力されている。
【００３１】
ここで、第１、第２のエンコーダ装置からそれぞれ音声パケット＃２が出力されている図４の時刻ｔ１で上位制御装置から切替オン（ＯＮ）を指示する切替制御信号が符号化装置内の第１、第２のエンコーダ装置にそれぞれ入力されたものとすると、第１、第２のエンコーダ装置では、それぞれ映像同期信号から映像垂直同期検出部２１で検出された垂直同期信号を基準点とした時、時刻ｔ１後の基準点より時間的に前の時間位置でメモリ部２６の読み出しを一時的に停止して、切替のための隙間を作る。この隙間の期間内に切替ポイント（基準点）の時刻ｔ２がある。基準点は映像垂直同期信号の時間位置に相当する。
【００３２】
一方、上記のメモリ部２６の読み出し停止期間中も、第１、第２のエンコーダ装置内の各音声符号化部２４からは、図４（Ｂ）、（Ｄ）に示すように、音声パケット＃３、＃４、＃５が時刻ｔ１以前と同様に引き続き出力され、それらはメモリ部２６に順次に書き込まれる。しかし、メモリ部２６の読み出しの停止により、メモリ部２６からは図４（Ｃ）、（Ｅ）に示すように音声パケット＃３以降の音声パケットは出力されない。
【００３３】
その後、上位制御装置から切替オフ（ＯＦＦ）を指示する切替制御信号が符号化装置内の第１、第２のエンコーダ装置にそれぞれ入力されたものとすると、第１、第２のエンコーダ装置では、それぞれ映像同期信号から映像垂直同期検出部２１で検出された垂直同期信号を基準点とした時、基準点の時刻ｔ２より時間的に後の時刻ｔ３でメモリ部２６の読み出しを再開する。
【００３４】
なお、図４の例では、基準点の時刻ｔ２より時間的に後の時刻ｔ３で切替オフを指示する切替制御信号（切替解除指示信号）が入力されるため、時刻ｔ３から直ちに音声パケットの切替出力が開始される。切替解除指示信号が基準点より前の時刻で入力された時は、映像垂直同期検出部２１で垂直同期信号（基準点）を検出するまでは、メモリ制御部２５により音声パケットの出力は停止されており、基準点検出後に切り替えられた音声パケットの出力が開始される。
【００３５】
これにより、第１、第２のエンコーダ装置内の各メモリ部２６は、読み出し停止直前に読み出した音声パケット＃２に続く次の音声パケット＃３からの読み出しを時刻ｔ３以降開始するが、音声符号化部２４から出力される音声パケットを書き込んで直ちに読み出しができる（メモリ部２６を開放できる）時刻ｔ４までは、メモリ部２６からは図４（Ｃ）、（Ｅ）に模式的に示すように、通常より例えば数％速い速度で読み出し、時刻ｔ４以降は通常速度で読み出しを行う。
【００３６】
図１のパケット切替装置１４は、図４（Ｆ）に模式的に示すように、時刻ｔ１までは第１のエンコーダ装置からの音声パケットを出力していたが、上位制御装置からの切替制御信号に基づき、時刻ｔ３以降は第２のエンコーダ装置からの音声パケットを切替出力する。このようにして、パケット切替装置１４から出力された音声パケットを受信してデコーダで復号すると、従来は切替ポイントでの音声パケットなどにより図４（Ｈ）に示すようにショックあるいはミュートが発生するが、本実施の形態によれば、時刻ｔ２に相当する切替ポイントでは音声パケットが存在しないため、そのデコード信号には、図４（Ｇ）に示すように、切替によるノイズ等のショックやミュートは発生せず、シームレスな切替ができる。
【図面の簡単な説明】
【００３７】
【図１】本発明の一実施の形態のブロック図である。
【図２】図１中のエンコーダ装置の一実施の形態のブロック図である。
【図３】本発明の一実施の形態のタイミングチャート（その１）である。
【図４】本発明の一実施の形態のタイミングチャート（その２）である。
【符号の説明】
【００３８】
１１  局内同期信号発生器
１２  音声同期信号発生器
１３  符号化装置
１４  パケット切替装置
２１  映像垂直同期検出部
２２  音声同期信号抽出部
２３  ＡＡＵ変換部
２４  音声符号化部
２５  メモリ制御部
２６  メモリ部
１３０〜１３４  エンコーダ装置
【図１】
2007156203.tif 000003
【図２】
2007156203.tif 000004
【図３】
2007156203.tif 000005
【図４】
2007156203.tif 000006